(57)【特許請求の範囲】
【請求項１】
ユーザにより文書に対して設定されている地紋設定を用いて印刷処理を行う情報処理装置であって、
前記文書の機密度を取得する取得手段と、
前記取得した機密度に応じた地紋設定の識別子があるか否かを判断する判断手段と、
前記判断手段で識別子があると判断した場合に、ユーザのユーザ名が例外ユーザ名に含まれているか否かを判定する判定手段と、
前記判定手段でユーザ名が例外ユーザ名に含まれていないと判定された場合に、前記取得された機密度に応じた識別子の地紋設定で印刷処理を行い、
前記判定手段でユーザ名が例外ユーザ名に含まれていると判定された場合、又は、前記判断手段で識別子がないと判断した場合には、前記文書に対して設定されている地紋設定を用いて印刷処理を行う処理手段と、
を具えたことを特徴とする装置。
【請求項２】
ユーザにより文書に対して設定されている地紋設定を用いて印刷処理を行う情報処理システムであって、
前記文書の機密度を取得する取得手段と、
前記取得した機密度に応じた地紋設定の識別子があるか否かを判断する判断手段と、
前記判断手段で識別子があると判断した場合に、ユーザのユーザ名が例外ユーザ名に含まれているか否かを判定する判定手段と、
前記判定手段でユーザ名が例外ユーザ名に含まれていないと判定された場合に、前記取得された機密度に応じた識別子の地紋設定で印刷処理を行い、
前記判定手段でユーザ名が例外ユーザ名に含まれていると判定された場合、又は、前記判断手段で識別子がないと判断した場合には、前記文書に対して設定されている地紋設定を用いて印刷処理を行う処理手段と、
を具えたことを特徴とする情報処理システム。
【請求項３】
ユーザにより文書に対して設定されている地紋設定を用いて印刷処理を行うための情報処理方法であって、
前記文書の機密度を取得する取得工程と、
前記取得した機密度に応じた地紋設定の識別子があるか否かを判断する判断工程と、
前記判断工程で識別子があると判断した場合に、ユーザのユーザ名が例外ユーザ名に含まれているか否かを判定する判定工程と、
前記判定工程でユーザ名が例外ユーザ名に含まれていないと判定された場合に、前記取得された機密度に応じた識別子の地紋設定で印刷処理を行い、
前記判定工程でユーザ名が例外ユーザ名に含まれていると判定された場合、又は、前記判断手段で識別子がないと判断した場合には、前記文書に対して設定されている地紋設定を用いて印刷処理を行う処理工程と、
を有したことを特徴とする情報処理方法。
【請求項４】
請求項３に記載の情報処理方法をコンピュータに実行させるためのプログラム。
【発明の詳細な説明】
【技術分野】
【０００１】
本発明は、地紋データ付加の処理に関するものである。
【背景技術】
【０００２】
従来、帳票や住民票などの複写を禁止、或いは抑止する目的で、これらのコンテンツは偽造防止用紙と呼ばれる特殊な印刷を施した用紙に印刷されることが多い。この偽造防止用紙は、原本においては人間にとって見えにくいが、複写機などを用いて複写した場合には「ＣＯＰＹ」の文字などが浮び上がるような用紙である。これにより、原本としての印刷された用紙とこの原本を複写した複写物とを視覚的に容易に識別することができる。そして、この偽造防止用紙を用いることにより、複写する者にその複写物の使用などを躊躇させる。延いては、このような帳票などは偽造防止用紙に印刷されているとして、複写そのものを抑止する効果をも生じさせるものである。しかし、このような偽造防止用紙は、通常の用紙と比較してコストが高いという問題があり、また、偽造防止用紙の製作時に設定されている文字しか浮び上がらせることができず、その用紙の用途が限られるなど、用途に関して柔軟性に欠ける部分がある。特許文献１や特許文献２には、このような偽造防止用紙における技術が開示されている。
【０００３】
一方、様々なコンテンツのデジタル化が進む中、帳票や住民票などのコンテンツも同様にデジタル化されつつある。しかしながら、これら帳票や住民票の利用など、その扱いに関するデジタル化は、まだ過渡期にあり、コンピュータを用いて作成したコンテンツを、そのまま電子データとして利用するのではなく、プリンタなどを用いて紙に出力して利用することが多い。
【０００４】
こうした状況に加えて、近年のプリンタの性能の飛躍的な向上も要因となって、従来の偽造防止用紙と同様の効果をコンピュータとプリンタを用いて実現する技術が注目されている（特許文献３）。これは、コンピュータを用いて作られたコンテンツを、プリンタを用いて印刷出力する際に、コンテンツの背景に複写抑止模様（以後、こうした模様のことを地紋と称する）と呼ばれる画像を重ねて出力する技術である。地紋画像は、原本（プリンタで出力した印刷物）においては単なる模様などに見えるが、複写すると所定の文字などが浮び上がるようなものであり、複写した者に偽造防止用紙と同様の牽制効果を与えることができるものである。
【０００５】
コンピュータを用いて作成した地紋画像を重ねて出力する場合、通常の印刷用の紙などを用いて出力できるため、偽造防止用紙に比べてコストの面で利点がある。さらに、コンテンツを印刷出力する際に地紋画像を生成することができ、これにより、基本的に、複写の際に浮かび上がらせる文字等を自由に定めることが可能となる。あるいは、「ＣＯＰＹ」など一定の静的な文字列などに加えて、ユーザ名や出力日時などの動的もしくは任意の文字列を浮び上がらせることができるという利点もある。
【０００６】
地紋画像は、上述したように、複写をした場合複写前には認識できなかった所定の文字などが顕在化し、その複写物を使用等することを抑止する効果をもたらすものである。この効果を実現すべく、地紋画像は、基本的に、複写後に画像が残る領域と複写後に画像が消えるか、あるいは上記の残る領域に較べて薄くなって認識し難くなる領域の２つの領域から構成される。この２つの領域は、印刷した状態ではほぼ同じ濃度であり、マクロ的には、一見すると「ＣＯＰＹ」など、複写によって顕在化する文字などが隠れていることが分からない。しかし、ミクロ的には、例えば、印刷によって形成されるそれぞれのドットのレベルでは以下に示されるようにそれぞれ異なる特性を持っている。この隠されていて、複写によって現れる文字などの画像を「潜像」と呼び、複写によって消えるかあるいは薄くなる画像を「背景」と呼ぶ。そして、地紋画像は、基本的にこの潜像画像と背景画像からなるものであり、また、後述のカモフラージュ画像をさらに含む場合もある。なお、ユーザインターフェース上の用語として潜像を、上記背景に対して前景と呼ぶ場合もある。
【０００７】
潜像部または前景部は、複写後にドットが残る領域であり、ドットが集中したドットの塊の集まりで構成される。一方、背景部は、複写後にドットが消えるかまたは濃度が薄くなる領域であり、分散したドットの集まりで構成される。そして、それぞれの集まりが、濃度が同じになるよう構成されることにより、潜像部と背景部の濃度をほぼ同じものとすることができる。
【０００８】
なお、地紋印刷は上記構成に限定されるものではなく、複写時にユーザが認識可能に「ＣＯＰＹ」などの文字列などが現れる（顕像化する）ように構成すればよい。つまり、この文字列などが背景部、すなわち、複写によってドットが消える領域として指定され、複写時に白抜き文字のような状態で表されても地紋印刷としてはその目的を達成することになる。
【０００９】
図３４は、潜像部および背景部の２つの領域を示す図である。同図に示すように、ドットが分散して配置される背景部と集中したドットの塊が配置される潜像部によって地紋画像が構成される。この２つの領域は、それぞれ異なる網点処理や異なるディザ処理により生成することができる。網点処理を用いて地紋画像を生成する場合、潜像部は低い線数の網点処理、背景部は高い線数の網点処理が適している。ディザ処理を用いて地紋画像を生成する場合、潜像部はドット集中型ディザマトリクスを用いたディザ処理、背景部はドット分散型ディザマトリクスを用いたディザ処理が適している。
【００１０】
一般に複写機には、原稿の微小なドットを読み取る入力解像度や微小なドットを再現する出力解像度に依存した再現能力の限界が存在する。地紋画像の背景部のドットは、複写機で再現できるドットの限界より小さく形成される。そして、潜像部のドット塊が限界より大きく形成されている場合、複写により地紋画像の大きなドット塊による画像は再現され、小さなドットによる画像は再現されず、潜像が顕在化される。また、複写によって分散した小さなドットが完全に消えなくとも、集中したドット塊と比較して複写後の濃度がより低い場合でも、潜像は相対的により顕著に認識できる。このように画像が浮かび上がる画像は顕像と呼ばれる。
【００１１】
図３５（ａ）および（ｂ）は、この顕像化を示す図である。図３５（ａ）は地紋画像が印刷された状態を示し、図３５（ｂ）は図３５（ａ）に示す状態のオリジナル画像を複写機で複写したときに得られる複写物の状態を示す。これらの図から、集中したドットの塊の集まりによる潜像が現れ、分散したドットによる背景が消えることが理解できる。
【００１２】
また、地紋画像には、潜像をより認識し難くする「カモフラージュ」という技術が適用されることも良く知られている。カモフラージュは、潜像部や背景部とは濃度を異ならせた模様を地紋画像全体に配置する技術であり、一見したとき、潜像部や背景部とは異なる濃度のカモフラージュ画像が目立ち、潜像が更に目立たなくなる効果がある。また、カモフラージュ画像が存在する地紋画像は、印刷物に装飾的な印象を与える効果もある。図３６（ａ）はカモフラージュ画像が施されない地紋画像を示し、図３６（ｂ）はカモフラージュ画像を施した地紋画像を示している。このカモフラージュ画像は、複写後、顕在化される潜像の判別が容易となるように、その画像を構成するドットができるだけ複写後に消失することが望ましい。これは、例えば、図３６（ｂ）に示すように、カモフラージュ画像を地紋画像の中に形成された輪郭のみの画像とし、その輪郭に相当する箇所にドットを形成しないことで実現することができる。
【００１３】
ところで、以上のような地紋画像を印刷すべき画像に適用するか否かの設定やその設定内容はユーザが任意に行うのが一般的である。例えば、ユーザは印刷ジョブ毎にそのジョブの印刷画像に地紋画像を付加して印刷することやその付加する地紋画像の内容を指定する。しかし、このようにジョブごとにユーザが地紋印刷の適用若しくは非適用や地紋画像の内容を設定することは、操作として煩わしい面もある。また、印刷ジョブごとにユーザが地紋付加の有無やその内容を設定することが可能であるということは、機密文書など地紋画像を付加することが望ましい画像に対し、ユーザの意思に依っては地紋画像が付加されないことを意味する。あるいは、相応しくない地紋画像が付加されたりすることを意味する。この場合、セキュリティ上好ましくない事態が生じることも考えられる。
【００１４】
これに対して、地紋印刷の内容をユーザが任意に設定できる形態ではなく、例えば、プリンタドライバの処理として自動的に行う形態を考慮することができる。
【先行技術文献】
【特許文献】
【００１５】
【特許文献１】米国特許第５，７８８，２８５号明細書
【特許文献２】米国特許第６，０００，７２８号明細書
【特許文献３】特開２００１−１９７２９７号公報
【発明の概要】
【発明が解決しようとする課題】
【００１６】
しかしながら、この場合でも、地紋印刷内容の自動設定がプリンタ全体で一律に行われる場合には、次のような問題を生じる。すなわち、地紋が付加される印刷画像の内容あるいは印刷システムのユーザによっては、地紋画像が不必要に付加されたり相応しくない地紋画像が付加されたりするといった問題を生じる。
【００１７】
例えば、印刷する画像が機密性が比較的低く地紋画像を付加する必要のない文書など、地紋印刷を行う必要のない文書に対しても地紋印刷が設定されてしまうことがある。この場合、地紋画像の付加自体が相応しいものでないにもかかわらずそれが付加されることになり、かえって印刷画像の品位を低下させることになる。また、印刷される画像の内容に対して付加される地紋画像が相応しいものでなく、結果として、地紋印刷の機能が十分に発揮できないこともある。
【００１８】
本発明は上述した問題を解決するためになされたものであり、その目的とするところは、ユーザの操作を介さず、従ってユーザの恣意によらずに、印刷の実行ごとに適切な地紋印刷の設定を行うことが可能な情報処理装置および情報処理方法を提供することにある。
【課題を解決するための手段】
【００１９】
そのために本発明では、ユーザにより文書に対して設定されている地紋設定を用いて印刷処理を行う情報処理装置であって、前記文書の機密度を取得する取得手段と、前記取得した機密度に応じた地紋設定の識別子があるか否かを判断する判断手段と、前記判断手段で識別子があると判断した場合に、ユーザのユーザ名が例外ユーザ名に含まれているか否かを判定する判定手段と、前記判定手段でユーザ名が例外ユーザ名に含まれていないと判定された場合に、前記取得された機密度に応じた識別子の地紋設定で印刷処理を行い、前記判定手段でユーザ名が例外ユーザ名に含まれていると判定された場合、又は、前記判断手段で識別子がないと判断した場合には、前記文書に対して設定されている地紋設定を用いて印刷処理を行う処理手段と、を具えたことを特徴とする。
【発明の効果】
【００２１】
以上の構成によれば、ユーザの恣意によらずに、印刷の実行ごとに適切な地紋印刷の設定を行うことが可能となる。
【図面の簡単な説明】
【００２２】
【図１】本発明の実施形態に係る印刷システムの構成を示すブロック図である。
【図２】図１に示したホストコンピュータ３０００における印刷処理のための一構成を示す図である。
【図３】ホストコンピュータ３０００における印刷処理のための構成の他の例に係わり、図２に示した構成を拡張した構成を示すブロック図である。
【図４】スプーラ３０２における、スプールファイル３０３の生成におけるページ単位保存ステップの処理を示すフローチャートである。
【図５】スプールファイルマネージャ３０４における、スプールファイル３０３生成プロセスと以降説明する印刷画像データ生成プロセスの間での制御の詳細を示すフローチャートである。
【図６】デスプーラ３０５における、印刷画像データの生成プロセスの詳細を示すフローチャートである。
【図７】印刷設定入力ダイアログ一例を示した図である。
【図８】印刷ジョブの出力先についての設定画面の一例を示す図である。
【図９】スプールファイルマネージャ３０４からデスプーラ３０５に対して物理ページの印刷要求を行う際に渡すデータ形式の一例を示す図である。
【図１０】図９のフィールド１００２に図示されたジョブ設定情報の一例を示す図である。
【図１１】スプールファイルマネージャ３０４からデスプーラ３０５に対して物理ページの印刷要求を行う際に渡すデータ形式の一例を示す図である。
【図１２】図１１における１２０２の物理ページ設定情報の例を示す図である。
【図１３】スプールファイルマネージャ３０４からデスプーラ３０５に対して物理ページの印刷要求を行う際に渡すデータ形式の一例を示す図である。
【図１４】図１２における付加印刷情報１３０４のデータ形式の一例を示す図である。
【図１５】本発明の第一の実施形態に係る地紋プリント機能の設定画面の一例を示す図である。
【図１６】（ａ）および（ｂ）は、地紋プリントの個々の詳細設定を編集するためのダイアログの一例を示す図である。
【図１７】地紋パターンの描画処理の一例を示すフローチャートである。
【図１８】地紋パターンの描画処理の他の例を示すフローチャートである。
【図１９】地紋パターンの描画処理の詳細な処理を示すフローチャートである。
【図２０】本発明の第一の実施形態に係る、文書など印刷する画像の機密度に応じて地紋印刷内容を設定する処理を示すフローチャートである。
【図２１】図２０に示すＳ５１０１の文書の機密度取得処理に関連した文書管理処理を説明するフローチャートである。
【図２２】本発明の第一の実施形態に係る、文書と機密度情報を関連付けるデータ形式の一例を示す図である。
【図２３】本発明の第一の実施形態に係る、機密度情報と地紋設定の対応を格納したデータ形式の一例を示す図である。
【図２４】本発明の第一の実施形態に係る、機密度と地紋設定の対応付けを行うためのユーザインターフェースの一例を示す図である。
【図２５】本発明の第一の実施形態に係る、文書ごとの機密度設定方法の一例を説明する図である。
【図２６】本発明の第二の実施形態に係る、ユーザ情報に応じた地紋設定処理を示すフローチャートである。
【図２７】図２６に示したユーザ情報に応じた地紋設定の取得方法を説明する図である。
【図２８】本発明の第二の実施形態に係る、ユーザ情報と地紋設定の割付けを行うためのユーザインターフェースを示す図である。
【図２９】本発明の第二の実施形態に係る地紋プリント機能の設定画面の一例を示す図である。
【図３０】ユーザ情報の追加処理に関わるダイアログの一例を示す図である。
【図３１】本発明の第四の実施形態に係る、文書など印刷する画像の機密度に応じて地紋印刷内容を設定する処理を示すフローチャートである。
【図３２】本発明の第四の実施形態に係る、文書など印刷する画像の機密度に応じた地紋印刷内容を設定する処理を示すフローチャートである。
【図３３】本発明の第四の実施形態に係る、文書と機密度情報と例外ユーザを関連付けるデータ形式の一例を示す図である。
【図３４】地紋画像のふたつの領域である潜像部および背景部を示す図である。
【図３５】（ａ）および（ｂ）は、地紋画像の顕像を説明する図である。
【図３６】（ａ）および（ｂ）は、地紋画像におけるカモフラージュを示す図である。
【発明を実施するための形態】
【００２３】
以下、図面を参照して本発明の実施形態を詳細に説明する。  
図１〜図１９は、本発明の一実施形態に係わる、情報処理装置としてのホストコンピュータと印刷装置としてのプリンタを有して構成されるシステムにおける、印刷処理およびそれに伴う地紋画像の基本的な描画データの生成に関する構成を説明する図である。
【００２４】
なお、本実施形態においては、複写時に顕像化する部分を潜像部または前景部と称し、複写時に消失または潜像部に比較して薄くなる部分を背景部と称している。そして、潜像部には「無効」、「ＶＯＩＤ」などのテキスト情報を入力している。しかしながら本発明における地紋画像はこれに限られるものではなく、複写時にテキスト情報は周囲の画像に対して白抜き文字のように表現される（顕像化する）形態であってもよい。この場合、潜像部と背景部の上述したドットの集中と分散の関係は白抜きでないものと逆の関係となることはもちろんである。本発明の適用は、地紋画像の種類や生成処理、色、形状、サイズなどによって制限されるものでないことは以下の説明からも明らかである。
【００２５】
システムの構成
図１は、本発明の実施形態に係る印刷システムの構成を示すブロック図である。なお、本発明の機能が実行されるのであれば、単体の機器であっても、複数の機器からなるシステムであっても、ＬＡＮ，ＷＡＮ等のネットワークを介して接続がなされ処理が行われるシステムであっても本発明を適用できる。
【００２６】
同図において、ホストコンピュータ３０００はＣＰＵ１を備える。これによって、ＲＯＭ３のプログラム用ＲＯＭあるいは外部メモリ１１に記憶された文書処理プログラム等に基づいて、後述される本発明の各実施形態に係わる処理などを実行する。これらの処理には、図形、イメージ、文字、表（表計算等を含む）等が混在した文書処理およびそれに基づく印刷処理が含まれる。このＣＰＵ１がシステムバス４に接続される各デバイスの制御を総括する。また、ＲＯＭ３のプログラム用ＲＯＭあるいは外部メモリ１１は、ＣＰＵ１の制御プログラムであるオペレーティングシステムプログラム（以下ＯＳ）等をきおくする。また、ＲＯＭ３のフォント用ＲＯＭあるいは外部メモリ１１は上記文書処理の際に使用するフォントデータ等を記憶する。さらに、ＲＯＭ３のデータ用ＲＯＭあるいは外部メモリ１１は上記文書処理等を行う際に使用する各種データを記憶する。ＲＡＭ２は、ＣＰＵ１の主メモリ、ワークエリア等として機能する。
【００２７】
キーボードコントローラ（ＫＢＣ）５は、キーボード９や不図示のポインティングデバイスからのキー入力を制御する。ＣＲＴコントローラ（ＣＲＴＣ）６は、地紋画像の表示を含む、ＣＲＴディスプレイ（ＣＲＴ）１０による表示を制御する。７はディスクコントローラ（ＤＫＣ）を示す。これは、ブートプログラム、各種のアプリケーション、フォントデータ、ユーザファイル、編集ファイル、プリンタ制御コマンド生成プログラム（以下プリンタドライバ）等を記憶するハードディスク（ＨＤ）を制御する。また、フロッピー（登録商標）ディスク（ＦＤ）等の外部メモリ１１とのアクセスを制御する。プリンタコントローラ（ＰＲＴＣ）８は、双方向性インターフェース（インターフェース）２１を介してプリンタ１５００に接続されて、プリンタ１５００との通信制御処理を実行する。具体的には印刷ジョブのデータ、各種処理要求データ、プリンタからの各種応答データの通信制御を司る。
【００２８】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウィンドウを開き、種々のデータ処理を実行する。ユーザは印刷を実行する際、印刷の設定に関するウィンドウを開き、プリンタの設定や、印刷モードの選択を含むプリンタドライバに対する印刷処理方法の設定を行うことができる。
【００２９】
プリンタ１５００は、そのＣＰＵ１２によって制御される。プリンタＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に印刷出力情報としての画像信号を出力する。また、このＲＯＭ１３のプログラムＲＯＭには、ＣＰＵ１２の制御プログラム等を記憶する。ＲＯＭ１３のフォント用ＲＯＭには上記印刷出力情報を生成する際に使用するフォントデータ等が記憶される。また、ＲＯＭ１３のデータ用ＲＯＭには、ハードディスク等の外部メモリ１４がないプリンタの場合には、ホストコンピュータ上で利用される情報等が記憶されている。
【００３０】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１５０１は前述した操作パネルで操作のためのスイッチおよびＬＥＤ表示器等が配されている。
【００３１】
また、前述した外部メモリ１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５０１からのプリンタモード設定情報を記憶するようにしてもよい。
【００３２】
印刷部１７は本実施形態では電子写真方式のエンジンを備えており、従って、画像の印刷およびそれに伴う地紋画像はそれらの印刷画像データに従って形成されるトナーのドットによって印刷が行われる。なお、本発明の適用上印刷の方式はこのような電子写真方式に限られないことはもちろんであり、例えば、インクジェット方式など、ドットを形成して印刷を行ういずれの方式の印刷装置にも本発明を適用することができることは以下の説明からも明らかである。
【００３３】
図２は、図１に示したホストコンピュータ３０００における印刷処理のための一構成を示す図である。アプリケーション２０１、グラフィックエンジン２０２、プリンタドライバ２０３、およびシステムスプーラ２０４は、外部メモリ１１に保存されたファイルとして存在する。そして、実行される場合にＯＳやそのモジュールを利用するモジュールによってＲＡＭ２にロードされ実行されるプログラムモジュールである。また、アプリケーション２０１およびプリンタドライバ２０３は、外部メモリ１１のＦＤや不図示のＣＤ−ＲＯＭ、あるいは不図示のネットワークを経由して外部メモリ１１のＨＤに追加することが可能となっている。外部メモリ１１に保存されているアプリケーション２０１はＲＡＭ２にロードされて実行される。この際、このアプリケーション２０１からプリンタ１５００に対して印刷を行う際には、同様にＲＡＭ２にロードされ実行可能となっているグラフィックエンジン２０２を利用して出力（描画）を行う。
【００３４】
グラフィックエンジン２０２は、プリンタなどの印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ（Ｇｒａｐｈｉｃ  Ｄｅｖｉｃｅ  Ｉｎｔｅｒｆａｃｅ）関数からＤＤＩ（Ｄｅｖｉｃｅ  Ｄｒｉｖｅｒ  Ｉｎｔｅｒｆａｃｅ）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ（Ｐａｇｅ  Ｄｅｓｃｒｉｐｔｉｏｎ  Ｌａｎｇｕａｇｅ）に変換する。変換されたプリンタ制御コマンドは、ＯＳによってＲＡＭ２にロードされたシステムスプーラ２０４を経てインターフェース２１経由でプリンタ１５００へ印刷画像データとして出力される。
【００３５】
本実施形態の印刷システムは、プリンタドライバ２０３内に地紋処理部２０５を有する。地紋処理部２０５はプリンタドライバ２０３のビルドインモジュールであってもよいし、個別のインストレーションによって追加されるライブラリモジュールの形式であっても構わない。また、プリンタドライバ２０３は、地紋画像の印刷に関し、その地紋処理部２０５の実行により、後述の地紋画像の描画などの処理を行う。
【００３６】
印刷関連のソフトウエアモジュール
図３は、ホストコンピュータ３０００における印刷処理のための構成の他の例に係わり、図２に示した構成を拡張した構成を示すブロック図である。この構成は、グラフィックエンジン２０２からプリンタドライバ２０３へ印刷命令を送る際に、一旦中間コードからなるスプールファイル３０３を生成する構成をとる。図２の構成では、アプリケーション２０１が印刷処理から開放されるのはプリンタドライバ２０３がグラフィックエンジン２０２からのすべての印刷命令をプリンタの制御コマンドへ変換し終った時点である。これに対して、図３の構成では、スプーラ３０２がすべての印刷命令を中間コードデータに変換し、スプールファイル３０３に出力した時点である。通常、後者の方が短時間で済む。また、図３で示す構成においては、スプールファイル３０３の内容に対して加工することができる。これによりアプリケーションからの印刷画像データに対して、拡大縮小や、複数ページを１ページに縮小して印刷する等、アプリケーションが持たない機能を実現することができる。これらの目的のために、図２の構成に対し、図３に示す様に中間コードデータでスプールするよう、システムの拡張がなされている。なお、印刷画像データの加工を行うためには、通常プリンタドライバ２０３が提供するウィンドウから設定を行い、プリンタドライバ２０３がその設定内容をＲＡＭ２上あるいは外部メモリ１１上に保管する。
【００３７】
以下、図３に示す構成について詳細に説明する。同図に示す通り、この拡張された処理方式では、グラフィックエンジン２０２からの印刷命令であるＤＤＩ関数をディスパッチャ３０１が受け取る。ディスパッチャ３０１がグラフィックエンジン２０２から受け取った印刷命令（ＤＤＩ関数）が、アプリケーション２０１からグラフィックエンジン２０２へ発行された印刷命令（ＧＤＩ関数）に基づくものである場合がる。この場合には、ディスパッチャ３０１は外部メモリ１１に格納されているスプーラ３０２をＲＡＭ２にロードし、プリンタドライバ２０３ではなくスプーラ３０２へ印刷命令（ＤＤＩ関数）を送付する。
【００３８】
スプーラ３０２は受け取った印刷命令を解析し、ページ単位で中間コードに変換してスプールファイル３０３に出力する。このページ単位に格納されている中間コードのスプールファイルをページ描画ファイル（ＰＤＦ：Ｐａｇｅ  Ｄｅｓｃｒｉｐｔｉｏｎ  Ｆｉｌｅ）と呼ぶ。また、スプーラ３０２は、プリンタドライバ２０３に対して設定されている印刷画像データに関する加工設定（Ｎｕｐ、両面、ステープル、カラー／モノクロ指定等）をプリンタドライバ２０３から取得する。そして、ジョブ単位のファイルとしてスプールファイル３０３に保存する。このジョブ単位に格納されている設定ファイルをジョブ設定ファイル（略してＳＤＦ：Ｓｐｏｏｌ  Ｄｅｓｃｒｉｐｔｉｏｎ  Ｆｉｌｅと呼ぶこともある）と呼ぶ。このジョブ設定ファイルについては後述する。なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷画像データに関する加工設定の内容に従って印刷を行えるか判断する。
【００３９】
スプールファイルマネージャ３０４がグラフィックエンジン２０２を利用して印刷を行えると判断した際には、外部メモリ１１に格納されているデスプーラ３０５をＲＡＭ２にロードする。そして、デスプーラ３０５に対して、スプールファイル３０３に記述された中間コードのページ描画ファイルの印刷処理を行うように指示する。
【００４０】
デスプーラ３０５はスプールファイル３０３に含まれる中間コードのページ描画ファイルをスプールファイル３０３に含まれる加工設定情報を含むジョブ設定ファイルに従って加工する。そして、ＧＤＩ関数を再生成し、もう一度グラフィックエンジン２０２経由でＧＤＩ関数を出力する。その際、地紋画像の印刷に関する描画については、地紋処理部２０５をロードし、描画処理を行う。このシステムの印刷形態では、地紋処理部２０５はデスプーラ３０５やスプールファイルマネージャ３０４等とともに地紋画像の印刷に関し、後述の地紋画像のコマンド生成などの処理を行う。
【００４１】
なお、地紋処理部２０５は、プリンタドライバ２０３のビルトインモジュールであってもよいし、個別のインストレーションによって追加されるライブラリモジュールの形式であってもよい。
【００４２】
ディスパッチャ３０１がグラフィックエンジン２０２から受け取った印刷命令（ＤＤＩ関数）がデスプーラ３０５からグラフィックエンジン２０２へ発行された印刷命令（ＧＤＩ関数）に基づいたものである場合がある。この場合には、ディスパッチャ３０１はスプーラ３０２ではなく、プリンタドライバ２０３に印刷命令を送る。プリンタドライバ２０３はグラフィックエンジン２０２から取得したＤＤＩ関数に基づいてページ記述言語等からなるプリンタ制御コマンドを生成し、システムスプーラ２０４経由でプリンタ１５００に出力する。
【００４３】
さらに、図３に示すように、上述した拡張システムに加えて、プレビューア３０６、設定変更エディタ３０７を配し、地紋画像のプレビューを含むプレビュー、印刷設定変更、複数ジョブの結合を可能にした例を示している。印刷プレビュー、印刷設定変更、複数ジョブの結合を行うためには、まずユーザが図８にて後述されるプリンタドライバのプロパティにおいて、「出力先の指定」を行う手段であるプルダウンメニュー９０１において「ストア」を指定する必要がある。なお、プレビューだけを見たい場合は、出力先の指定として「プレビュー」を選択することによっても可能である。
【００４４】
このようにプリンタドライバのプロパティで設定されている内容は設定ファイルとしてＯＳが提供する構造体（Ｗｉｎｄｏｗｓ（登録商標）ＯＳでは、ＤＥＶＭＯＤＥと呼ばれる）に格納される。その構造体には、例えばスプールファイル３０３に含まれる加工設定中にスプールファイルマネージャ３０４にストアを行うかどうかの設定が含まれている。スプールファイルマネージャ３０４がプリンタドライバを介して加工設定を読み込み、ストア指定がなされていた場合、前述したようにスプールファイル３０３にページ描画ファイルとジョブ設定ファイルとが生成、格納される。また、スプールファイルマネージャのウィンドウ画面がポップアップされ、スプールファイル３０３にスプールされたジョブがリスト表示される。
【００４５】
スプールファイルマネージャのウィンドウ画面上で、ある単体ジョブもしくは結合ジョブのプレビュー指定がされた場合、外部メモリ１１に格納されているプレビューア３０６をＲＡＭ２にロードする。そして、プレビューア３０６に対して、スプールファイル３０３に記述された中間コードのジョブのプレビュー処理を行うように指示する。
【００４６】
印刷用中間データの保存処理
図４は、スプーラ３０２における、スプールファイル３０３の生成におけるページ単位保存ステップの処理を示すフローチャートである。
【００４７】
同図において、まずＳ５０１では、スプーラ３０２は、アプリケーションからグラフィックエンジン２０２を介して印刷要求を受け付ける。アプリケーションにおいては、図７に示すような印刷設定を入力するダイアログが表示され、このダイアログから入力された印刷設定がプリンタドライバよりスプーラ３０３に渡される。図７に示す設定入力ダイアログにおいては、符号８０１で示される、１物理ページにレイアウトする論理ページの数を決定するような設定項目等を含んでいる。
【００４８】
Ｓ５０２では、スプーラ３０２は、受け付けた印刷要求がジョブ開始要求か判定する。ここで、Ｓ５０２でジョブ開始要求であると判断した場合には、Ｓ５０３に進み、中間データを一時的に保存するためのスプールファイル３０３を作成する。続いて、Ｓ５０４では、スプーラ３０２は、スプールファイルマネージャ３０４へ印刷処理の進捗を通知し、続くＳ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００４９】
一方、Ｓ５０２において、ジョブ開始要求ではなかったと判断した場合には、Ｓ５０６に進む。このＳ５０６では、スプーラ３０２は、受け付けた要求がジョブ終了要求かどうかの判別を行う。ジョブ終了要求でないと判断した場合には、Ｓ５０７に進み、改ページか否かの判別を行う。Ｓ５０７で改ページであると判断した場合には、Ｓ５０８に進み、スプールファイルマネージャ３０４へ印刷処理の進捗を通知する。そしてページ数カウンタをインクリメントして、中間コードを格納しているページ描画ファイルを閉じ、次のページ描画ファイルを生成する。Ｓ５０７において、受け付けた印刷要求が改ページではないと判断した場合には、Ｓ５０９に進み、スプーラ３０２は、ページ描画ファイルへの中間コードの書き出しの準備を行う。  
次に、Ｓ５１０では、印刷要求をスプールファイル３０３へ格納するため、スプーラ３０２は、印刷要求のＤＤＩ関数の中間コードへの変換処理を行う。Ｓ５１１では、スプーラ３０２は、Ｓ５１０において格納可能な形に変換された印刷要求（中間コード）をスプールファイル３０３のページ描画ファイルへ書き込む。その後、Ｓ５０１に戻り、再びアプリケーションからの印刷要求を受け付ける。この一連のＳ５０１からＳ５１１までの処理を、アプリケーションよりジョブ終了要求（ＥｎｄＤｏｃ）を受け取るまで続ける。また、スプーラ３０２は、同時にプリンタドライバ２０３からＤＥＶＭＯＤＥ構造体に格納されている加工設定等の情報を取得し、ジョブ設定ファイルとしてスプールファイル３０３に格納する。一方、Ｓ５０６にて、アプリケーションからの印刷要求がジョブ終了であると判断した場合には、アプリケーションからの印刷要求は全て終了であるので、Ｓ５１２に進み、スプールファイルマネージャ３０４へ印刷処理の進捗を通知し、処理を終える。
【００５０】
スプールファイルの生成
図５は、スプールファイルマネージャ３０４における、スプールファイル３０３生成プロセスと以降説明する印刷画像データ生成プロセスとの間の制御の詳細を示すフローチャートである。
【００５１】
Ｓ６０１では、スプールファイルマネージャ３０４は、スプーラ３０２あるいはデスプーラ３０５からの印刷処理の進捗通知を受け付ける。そして、Ｓ６０２では、スプールファイルマネージャ３０４は、進捗通知が前述のＳ５０４において通知されるスプーラ３０２からの印刷開始通知であるか否か判定する。ここで、その通知であればＳ６０３へ進み、印刷の加工設定をスプールファイル３０３から読み込み、ジョブの管理を開始する。一方、Ｓ６０２において、スプーラ３０２からの印刷開始通知でなければＳ６０４へ進み、進捗通知が前述のＳ５０８において通知されるスプーラ３０２からの１論理ページの印刷終了通知であるか否かを判定する。ここで１論理ページの印刷終了通知であればＳ６０５へ進み、この論理ページに対する論理ページ情報を格納する。そして、続くＳ６０６では、この時点でスプールが終了したｎ論理ページに対して、１物理ページの印刷が開始できるかを判定する。ここで、印刷可能である場合はＳ６０７へ進み、印刷する１物理ページに対して割り付けられる論理数から物理ページ番号を決定する。
【００５２】
物理ページの計算については、例えば、加工設定が１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。また、論理ページ数の総数が１物理ページに配置する論理ページ数の倍数でなくても、Ｓ５１２におけるスプール終了通知によって１物理ページに配置する論理ページが決定可能である。
【００５３】
そして、Ｓ６０８では、図９に示すような形式で、印刷可能となった物理ページを構成する論理ページ番号と、その物理ページ番号などの情報がジョブ出力用設定ファイル（物理ページ情報を含むファイル）に保存されたことが通知される。すなわち、物理ページ情報が１物理ページ分追加されたことがデスプーラ３０５に通知される。その後Ｓ６０１に戻り、次の通知を待つ。本実施形態においては、印刷画像データ１ページ、即ち１物理ページを構成する論理ページがスプールされた時点で印刷ジョブのスプールが全て終了していなくても印刷処理が可能である。
【００５４】
一方、Ｓ６０４において、進捗通知がスプーラ３０２からの１論理ページの印刷終了通知でなかった場合Ｓ６０９へ進む。ここで、スプールファイルマネージャ３０４は、前述のＳ５１２において通知されるスプーラ３０２からのジョブ終了通知であるかどうかを判定する。ここで、ジョブ終了通知である場合、前述のＳ６０６へ進む。一方、ジョブ終了通知でない場合、Ｓ６１０へ進み、スプールファイルマネージャ３０４は、受け付けた通知がデスプーラ３０５からの１物理ページの印刷終了通知であるかどうか判定する。ここで、１物理ページの印刷終了通知である場合はＳ６１２へ進み、加工設定の印刷が全て終了したかを判定する。印刷終了した場合、Ｓ６１２へ進み、デスプーラ３０５に印刷終了の通知を行う。一方、加工設定に対する印刷がまだ終了していないと判断した場合、前述のＳ６０６へ進む。本実施形態におけるデスプーラ３０５は印刷処理を行う単位として１物理ページ数を想定している。また、Ｓ６０８では、１物理ページの印刷処理を行うのに必要な情報をファイルに逐次保存し、再利用可能な形式にしている。しかし、再利用不要な場合には、共有メモリ等高速な媒体を使用し、１物理ページ単位で次々と上書きする実装にして、速度とリソースを節約するような実装形式であってもよい。また、デスプールの進捗よりもスプールの進捗の方が早い場合や全ページのスプール終了後からデスプールが開始されるような場合には、Ｓ６０８で１物理ページ毎にページ印刷可能を通知しない。すなわち、デスプール側の進捗に応じて、複数物理ページもしくは全物理ページが印刷可能になったという通知内容にして、通知回数を節約することが可能である。
【００５５】
Ｓ６１０において、通知がデスプーラ３０５からの１物理ページの印刷終了通知でないと判断された場合、Ｓ６１３へ進み、スプールファイルマネージャ３０４は、デスプーラ３０５からの印刷終了通知かどうかを判定する。通知がデスプーラ３０５からの印刷終了通知と判定された場合、Ｓ６１４へ進み、スプールファイルマネージャ３０４は、スプールファイル３０３の該当するページ描画ファイルの削除を行い、処理を終える。ただし、デスプーラ３０５からの印刷終了通知でなかった場合はＳ６１５へ進み、その他通常処理を行い、次の通知を待つ。
【００５６】
スプールファイルの出力
図６は、デスプーラ３０５における、印刷画像データの生成プロセスの詳細を示すフローチャートである。
【００５７】
デスプーラ３０５は、スプールファイルマネージャ３０４からの印刷要求に応じて、スプールファイル３０３から必要な情報（ページ描画ファイルおよびジョブ設定ファイル）を読み出して印刷画像データを生成する。生成された印刷画像データにおけるプリンタへの転送方法については図３にて前述した通りである。また、印刷データはＰＤＬ形態であることも前述したとおりである。
【００５８】
印刷画像データの生成では、まず、Ｓ７０１において、前述のスプールファイルマネージャ３０４からの通知を入力する。続くＳ７０２では、デスプーラ３０５は、入力された通知がジョブの終了通知かどうか判定し、ジョブ終了通知であるならばＳ７０３へ進み、終了フラグを立て、Ｓ７０５へ進む。一方、Ｓ７０２においてジョブ終了通知でない場合は、Ｓ７０４に進み、前述のＳ６０８における１物理ページの印刷開始要求が通知されたかどうか判定する。Ｓ７０４において開始要求と判定されなかった場合は、Ｓ７１０へ進み、その他エラー処理を行い、Ｓ７０１へ戻り次の通知を待つ。一方、Ｓ７０４において１物理ページの印刷開始要求と判定された場合は、Ｓ７０５へ進み、デスプーラ３０５は、Ｓ７０４で通知を受けた印刷処理可能な物理ページのＩＤを保存する。続くＳ７０６では、デスプーラ３０５は、Ｓ７０５で保存した物理ページＩＤのすべてのページに関して印刷処理が済んでいるかどうか判定する。ここで全物理ページの処理が済んでいる場合は、Ｓ７０７へ進み、前述のＳ７０３で終了フラグが立てられているか否か判定する。終了フラグが立っている場合は、ジョブの印刷が終了したとみなし、デスプーラ３０５の処理終了の通知をスプールファイルマネージャ３０４に通知し、処理を終える。Ｓ７０７で、終了フラグが立っていないと判定された場合は、Ｓ７０１へ戻り次の通知を待つ。一方、Ｓ７０６で、印刷可能な物理ページが残っていると判断された場合には、Ｓ７０８へ進む。ここで、デスプーラ３０５は、保存された物理ページＩＤから未処理の物理ページＩＤを順に読み出し、読み出した物理ページＩＤに対応する物理ページの印刷画像データ生成に必要な情報を読み込み、印刷処理を行う。印刷処理はスプールファイル３０３に格納された印刷要求命令をデスプーラ３０５においてグラフィックエンジン２０２が認識可能な形式（ＧＤＩ関数）に変換し、転送する。本実施形態のような、複数論理ページを１物理ページにレイアウトするような加工設定（以下Ｎページ印刷）については、このステップで縮小配置を考慮にいれながら変換する。必要な印刷処理が終えたならば、続くＳ７０９において１物理ページの印刷画像データ生成終了の通知をスプールファイルマネージャ３０４に対して行う。そして再びＳ７０６へ戻り、Ｓ７０５で保存しておいた印刷可能な物理ページＩＤすべてについて印刷処理を行うまで繰り返す。
【００５９】
以上が、ディスパッチャ３０１、スプーラ３０２、スプールファイルマネージャ３０４、デスプーラ３０５を用いた印刷処理の流れである。上記のように処理することにより、スプーラ３０２が中間コードを生成してスプールファイル３０３に格納するタイミングでアプリケーション２０１が印刷処理から開放されるので、プリンタドライバ２０３に直接出力するよりも短時間で済む。また、スプールファイル３０３にプリンタドライバの印刷設定を踏まえた中間ファイル（ページ描画ファイル、ジョブ設定ファイル）を一時保存しているので、実際に印刷されるべき印刷プレビューをユーザに認識させることが可能となる。また、複数のアプリケーションにより生成した印刷ジョブの結合や並び替えが可能となり、印刷設定の変更を行う場合にも、これを再度アプリケーションを立ち上げて印刷をすることなく実行可能である。
【００６０】
ここで、スプーラ３０２を用いた印刷処理において、デスプーラ３０５によりグラフィックエンジン２０２への印刷要求時にジョブ出力用設定ファイルが生成されるが、プレビューやジョブ結合等を行う場合もジョブ出力用設定ファイルが生成される。ジョブ出力用設定ファイルは、単体ジョブの場合はジョブ設定ファイルと同等のものであり、結合ジョブの場合は複数のジョブ設定情報に基づいて生成されるものである。ここでジョブ出力用設定ファイルについて説明する。
【００６１】
ジョブ出力用設定ファイルの構成
図９は、Ｓ６０８において、スプールファイルマネージャ３０４が生成する印刷可能となった物理ページを構成する情報を保存しているジョブ出力用設定ファイルの例を示す。フィールド１００１は、ジョブを識別するためのＩＤで、本情報を保存しているファイル名や共有メモリの名称という形で保持することも可能である。フィールド１００２はジョブ設定情報である。ジョブ設定情報には、グラフィックエンジン２０２に対してジョブの印刷を開始するために必要な構造体、Ｎページ印刷の指定、ページ枠などの追加描画の指定、部数がふくまれている。また、ステープルなどのフィニッシング指定など、１つのジョブに対して１つしか設定できない情報も含まれている。ジョブ設定情報１００２には、ジョブに対する機能に応じて必要なだけ情報が保存される。フィールド１００３はジョブの物理ページ数で、本フィールド以降、この数の分だけ物理ページ情報が保存されていることを示す。本実施形態では、印刷可能な物理ページ数を通知する方式であるので、このフィールドは無くても動作可能である。これ以降、フィールド１００４から最後までフィールド１００３の数だけ物理ページ情報が格納される。物理ページ情報については図１２で説明する。
【００６２】
図１０は、図９のフィールド１００２に図示されたジョブ設定情報の一例を示す図である。フィールド１１０１は全物理ページ数である。フィールド１１０２は、全論理ページ数である。フィールド１１０１および１１０２は、印刷画像データに追加して、ページ数などを付加情報として印刷する場合などに利用する。印刷が続いている際には、両フィールドは暫定的な値、もしくは、印刷が終了するまでスプールファイルマネージャ３０４は印刷可能な物理ページの情報の作成を延期する。フィールド１１０３は本印刷ジョブを何部印刷するかを指定する部数情報である。フィールド１１０４は、フィールド１１０３で複数部印刷する設定の場合、部単位で印刷するかどうかの指定である。フィールド１１０４はステープル、パンチ、Ｚ折などのフィニッシング情報で、プリンタ本体もしくは外部にフィニッシャーがある場合に指定される。フィールド１１０６は付加印刷情報で、本発明の地紋プリントを始め、ページ枠などの飾り、日付などの付加情報、ユーザ名、ページ数、ウォーターマーク印刷等、ジョブに対して付加する情報が保存される。機能が増えるに従って本ジョブ設定情報に含まれるフィールドの数も増加し、例えば、両面印刷が可能な場合は、両面印刷の指定を保存するフィールドが追加される。
【００６３】
図１１は、図９のフィールド１００４に図示された物理ページ情報の一例を示す図である。最初のフィールド１２０１は物理ページ番号で、印刷順序の管理や、物理ページ番号を追加印刷する際に使用される値である。フィールド１２０２は物理ページ設定情報で、物理ページ毎にレイアウトやカラー・モノクロの指定が可能である場合、レイアウトやカラー・モノクロの設定が保存される。フィールド１２０３は本物理ページに割り付けられる論理ページ数で、１物理ページに４ページを割り付ける場合には４もしくは４ページ印刷を示すＩＤが保存される。フィールド１２０４以降はフィールド１２０３で指定された数だけ論理ページの情報が保存される。アプリケーション２０１から印刷されたページ数によっては、１２０３で指定されるページ数よりも実際のページデータ数が少なくなる場合がある。その場合には、論理ページ情報に空ページを示す特別なデータを保存して対応する。
【００６４】
図１２は、物理ページ設定情報１２０２の例を示す図である。フィールド１３０１は物理ページ上への論理ページの配置順で、Ｎページ印刷で、物理ページ上に論理ページを配置する順番（左上から横へ、左上から下へ等）の指定が保存されている。システムによっては、配置順ではなく、フィールド１２０４以降の論理ページ情報の順番をページ番号順ではなく、配置順に応じた順序で配することで１３０１の設定を代用する場合もある。フィールド１３０２は両面印刷の表・裏の情報で、例えば綴じ代を表裏でそろえる際に使用される。フィールド１３０３はカラーページかモノクロページかの指定で、プリンタがモノクロモードとカラーモードを持つ場合に使用される。また、カラーページとモノクロページが混在する文書で、カラーページをカラーモードで、モノクロページをモノクロモードで印刷したい場合などに使用される値である。この情報を持つことにより、オートカラーモードとして、ページ単位にカラープリンタで処理を変更することが可能となる。フィールド１３０４は付加印刷情報で、物理ページに対して、ページ数や、日付などの付加情報を印刷する場合に使用される。物理ページ設定情報も、システムの機能に応じてフィールドが追加される。
【００６５】
本実施形態の場合、図１５以降で説明される地紋画像印刷は物理ページに対して付加される情報なので、図１０に示すフィールド１１０６に保持された地紋印刷に関する情報に基づき、各物理ページに対する設定情報として、フィールド１３０４内にも格納される。ジョブに対する付加印刷情報１１０６および付加印刷情報１３０４内における、地紋プリントに関する設定情報を格納するデータ形式の一例については、図１４において後述する。
【００６６】
図１３は、フィールド１２０４で示された論理ページ情報の一例を示す図である。フィールド１４０１は論理ページのＩＤであり、このＩＤを利用して、スプールファイル３０３から論理ページに対応するページ描画ファイルの中間コードを参照する。このＩＤを利用して論理ページの中間コードへアクセス可能であれば良く、ファイルやメモリポインタであっても、論理ページを構成する中間コード自身が入っていてもよい。フィールド１４０２は論理ページ番号で論理ページ番号を付加情報として印刷する場合や、論理ページＩＤの補助情報に使用される。フィールド１４０３のフォーマット情報には、論理ページ単位で指定可能である各種設定項目が保存される。例えば、ページ枠などの付加印刷情報、拡縮率などの論理ページ単位に指定される各種設定の情報が保存される。また、必要であれば、論理ページ単位のカラー・モノクロ情報などの論理ページに対する属性情報を保存する事も可能である。逆に、論理ページ単位で設定を切りかえる事や論理ページ単位での属性情報が不要であるようなシステムでは、フィールド１４０３は不要である。
【００６７】
本実施形態の場合、図１５および図１６（ａ）、図１６（ｂ）において説明される地紋印刷に関する機能設定情報は、フィールド１４０３内には保持されない。これは、Ｎ−Ｕｐなどによる論理ページの拡大縮小に対して地紋プリントで使用されるパターンが影響を受けなくさせるためである。
【００６８】
ジョブ出力用設定ファイルは、上記のように構成されている。なお、ジョブ設定ファイルもほぼ同様であり、印刷体裁（片面、両面、製本印刷）、印刷レイアウト（Ｎｕｐ、ポスター印刷）、付加情報（地紋プリント情報、ウォーターマーク、日付、ユーザ名など）、部数、用紙サイズ情報がジョブとして有している。このように、物理ページ毎に、論理ページの配置順、両面印刷の表面か、裏面か、カラーモード等から構成されている。
【００６９】
図３を再び参照すると、同図に示す拡張システムは、ジョブの設定変更機能を持つ設定変更エディタ３０７を配している。本実施形態ではジョブの設定内容は、単体ジョブは、ジョブ設定ファイルに、また結合ジョブは、図９に示したジョブ出力用設定ファイル中に含まれている。このように、中間コードを保存しているページ描画ファイル３０３とは独立しているため、ジョブ出力用設定ファイルを作り変えることでジョブの設定変更が可能である。設定変更エディタ３０７は単独で、あるいはスプールファイルマネージャ３０４と連携して、ジョブ出力用設定ファイルを作り変え、あるいは、一部を書き換えることでジョブの設定変更機能を実現している。
【００７０】
地紋画像印刷処理の説明
図１５および図１６（ａ）、図１６（ｂ）は、地紋画像印刷に関する設定をおこなうユーザインターフェースの一例を示す図である。
【００７１】
図１５はプリンタドライバ２０３による、地紋プリントに関するユーザインターフェースの初期画面の一例である。この例では、ダイアログ内のプロパティシート２１０１において地紋プリントに関する設定が行えるようになっている。
【００７２】
２１０２は、印刷ジョブに対して地紋プリント（地紋画像を含む印刷、以下、同じ）を行うか（適用するか）どうかを指定するチェックボックスを示し、図１０における付加印刷情報１１０６内に地紋プリントを行うかどうかの設定が格納される。２１０３は、地紋プリントの複数の設定情報を１つの識別子（スタイル）で指定可能にするためのスタイル情報を示す。プリンタドライバ２０３は複数のスタイルを選択可能となっており、各スタイルと図１４に示す地紋プリント情報との関係がレジストリに登録される。また、ボタン２１０４を押下することにより、図１６（ａ）に示すスタイル編集用ダイアログ２２０１が表示される。２１０５は、地紋プリントにおける前景、背景のコントラストを調整する際に用いるチェックボックスを示し、ボタン２１０６を押下することにより、コントラスト調整用の画面が表示される。
【００７３】
また、２１０７は、本発明の第一の実施形態として後述される文書など印刷する画像の機密度に対応して地紋設定を行うためのダイアログを表示するためのボタンを示す。このボタンを押下することによって、図２４にて後述するダイアログが表示される。図２４にて後述されるように、印刷する画像の機密度に応じて地紋印刷のスタイルを設定できるが、その設定可能なスタイルが、上述のスタイル情報２１０３において候補として選択することができる。
【００７４】
図１６（ａ）は、地紋プリントの個々の詳細設定を編集するためのダイアログの一例を示す図であり、図１５に示した「スタイル編集」ボタン２１０４を押下することによって表示される。
【００７５】
同図において、２２０１は地紋情報編集用ダイアログ全体を示し、このダイアログには後述する、個々の地紋情報によって生成される地紋画像の結果がプレビューのため表示する領域がある。２２０２は選択可能なスタイルの一覧を表示する領域を示し、ボタン２２０３および２２０４を用いてスタイルの新規追加、削除が可能となる。２２０５は、現在指定されているスタイル名称が表示される領域を示す。
【００７６】
２２０６は、地紋プリントに用いる描画オブジェクトの種類を選択するラジオボタンを示し、「文字列」を選択するとテキストオブジェクトが使用され、「イメージ」を選択するとＢＭＰなどに代表されるイメージデータが使用される。図１６（ａ）では、「文字列」が選択されているので、ダイアログ２２０１には符号２２０７から２２０９などで示されるテキストオブジェクトに関する設定情報が表示され、編集可能となる。一方、領域２２０６において「イメージ」が選択されている場合、情報２２０７から２２０９は表示されず、その代わりに図１６（ｂ）に示すイメージファイル名称表示２２１５および図不示のファイル選択ダイアログを表示するためのボタン２２１６が表示される。
【００７７】
２２０７は地紋画像として使用する文字列を表示、編集するための設定領域を示す。２２０８は文字列のフォント情報を表示、編集するための設定領域を示す。本実施形態では、フォント名称のみの選択画面としているが、書体のファミリー情報（ボールド、イタリックなど）や、飾り文字情報などが選択可能に拡張してもよい。２２０９は地紋パターンとして使用する文字列のフォントサイズを表示、設定する領域である。本実施形態では「大」「中」「小」の３段階で指定可能であるが、ポイント数の直接入力など、一般的に用いられるフォントサイズ指定方法を採用してもよい。２２１０は地紋パターンと原稿データの印刷順序を設定するためのラジオボタンであり、「透かし印刷」が指定された場合は、図１７にて後述するように、地紋パターンを描画後、原稿データを描画する。一方、「重ね印刷」が指定された場合は、図１８にて後述するように、原稿データを描画後、地紋パターンを描画する。２２１１は、地紋パターンの配置角度を指定するラジオボタンを示す。本実施形態では、「右上がり」「右下がり」「横」の３通りの選択を可能としているが、角度を任意に指定可能な数値入力領域や、直感的に指定可能なスライダーバーなどを配し、角度指定方法を拡張してもよい。２２１２は、地紋パターン（前景パターン、背景パターン）に用いる色を表示、指定するための領域を示す。２２１３は、前景パターン、背景パターンの入れ替えを行うためのチェックボックスを示す。チェックボックスがチェックされていない場合は、複写時に前景パターンが浮かび上がり、一方、チェックされていない場合は複写時に背景パターンが浮かび上がるよう印刷が行われる。２２１４は、原稿に埋め込んだ地紋パターンを認識させづらくさせるためのカモフラージュ画像を指定するための領域を示し、複数のパターンから選択可能である。また、カモフラージュ画像を使用しないという選択肢も提供されている。
【００７８】
以上のように、ユーザは必要に応じて、このダイアログにおけるプレビュー表示を見ながら後述の地紋パターンの調整を行うことができる。
【００７９】
地紋プリント設定情報のデータ形式
次に、図１６（ａ）および図１６（ｂ）において説明した地紋プリント設定情報に関する付加情報１１０６および１３０４に格納されるデータ形式について図１４を用いて説明する。
【００８０】
同図において、フィールド２００１は、図１６（ａ）の設定領域２２０６で指定される、地紋プリントで描画するオブジェクト種（テキスト形式あるいはイメージ）を示す値を格納する。フィールド２００２は、図１６（ａ）の設定領域２２０７〜２２０９、あるいは図１６（ｂ）で指定される、フィールド２００１の情報で指定された描画オブジェクトに対する設定情報を格納する。テキスト選択時は文字列、フォント名、サイズ情報が、イメージ選択時は入力するイメージファイルのロケーションが格納される。フィールド２００３は、図１６（ａ）の設定領域２２１０で指定される、原稿データに対して地紋パターンを先に描画するか、後から描画するか（印刷順序）を指定する情報を格納する。フィールド２００４は、図１６（ａ）の設定領域２２１１で指定される、描画オブジェクトを配置する角度情報を格納する。フィールド２００５は、図１６（ａ）の設定領域２２１２で指定される、地紋パターン（前景パターン、背景パターン）に使用される色情報を格納する。フィールド２００６は、図１６（ａ）のチェックボックス２２１３で指定される、前景パターン、背景パターンの入れ替えを行うかどうかの情報を格納する。フィールド２００７は、図１６（ａ）の設定領域２２１４で指定される、カモフラージュ画像のパターン付加情報を格納する。フィールド２００８は、コントラスト調整用画面で指定される、前景パターンの濃度情報を格納する。フィールド２００９は、同様にコントラスト調整用画面で指定される、背景パターンの濃度情報を格納する。
【００８１】
地紋パターンの描画処理
図１７および図１８は、地紋プリントにおける描画処理の手順を示すフローチャートであり、図１６（ａ）にて説明したそれぞれ「透かし印刷」と「重ね印刷」に対応している。また、これらの処理は、図６のＳ７０８における印刷処理において行われるものである。
【００８２】
まず、地紋パターン情報の追加描画処理について、「透かし印刷」、すなわち、先に地紋パターンを描画する場合について、図１７に示すフローチャートを用いて説明する。上述したように、「透かし印刷」はプリンタのビットマップメモリにおいて、地紋画像データの上に原稿データをラスタライズする処理である。そのため、印刷データの生成順序としては、原稿データに対応する印刷データ生成より先に地紋画像の印刷データを生成することになる。
【００８３】
Ｓ１９０１において、図１４に示す地紋パターン情報で示される地紋に関する情報に従い、描画を行う。その詳細な処理については図１９にて後述する。その後、原稿データに関する描画処理を行う。Ｓ１９０２では、カウンタを初期化する。そして、Ｓ１９０３において、カウンタが、予め設定されている１物理ページあたりの論理ページ数になったか否かを判定し、論理ページ数と等しくなったらＳ１９０８へ進み、等しくなければＳ１９０４へ進む。Ｓ１９０４では、カウンタを１増加させ、Ｓ１９０５で、１ページあたりの論理ページ数およびカウンタをもとに、描画する論理ページに対する有効印刷領域を計算する。そして、Ｓ１９０６において、図８のような形態で通知された物理ページに関する情報から、カウンタをインデックスとして現在の論理ページ番号を読み取り、該当論理ページを有効印刷領域内に収まるように縮小描画する。ただし、Ｎページ印刷が指定されていない場合にはもちろん縮小の必要はない。
【００８４】
次に、「重ね印刷」、すなわち、原稿データを描画した後から地紋パターンを描画するケースについて、図１８に示すフローチャートを用いて説明する。上述したように、「重ね印刷」はプリンタのビットマップメモリにおいて、原稿データの上に地紋画像をラスタライズする処理である。そのため、印刷データの生成順序としては、地紋画像に対応する印刷データ生成より先に原稿データに対応する印刷データを生成することになる。
【００８５】
Ｓ１９０２において、カウンタを初期化する。次に、Ｓ１９０３において、カウンタが、予め設定されている１物理ページあたりの論理ページ数になったか否かを判定し、論理ページ数と等しくなったらＳ１９０８へ進み、等しくなければＳ１９０４へ進む。Ｓ１９０４でカウンタを１増加させ、Ｓ１９０５において、１ページあたりの論理ページ数およびカウンタをもとに、これから描画する論理ページに対する有効印字領域を計算する。次に、Ｓ１９０６において、図８のような形態で通知された物理ページに関する情報から、カウンタをインデックスとして現在の論理ページ番号を読み取り、該当論理ページを有効印字領域内に収まるように縮小描画する。ただし、Ｎページ印刷が指定されていない場合にはもちろん縮小の必要はない。１物理ページとして所定数の論理ページを展開し終えると、Ｓ１９０８に進む。Ｓ１９０８では、アプリケーションから取得している物理ページの有効印刷領域に対して、図１４に示す地紋パターン情報で示される地紋に関する情報に従い、描画を行う。その詳細処理については、同様に図１９にて後述する。
【００８６】
図１９は本発明の一実施形態に係る、図１７に示したＳ１９０１の地紋パターン描画処理及び図１８に示したＳ１９０８の地紋パターン描画部処理の詳細を示すフローチャートである。以下、図１９を参照して、地紋パターン描画処理を説明する。
【００８７】
初めにユーザインターフェース等を介して、Ｓ２７０１で地紋パターン描画処理が開始される。次に、Ｓ２７０２で、入力背景画像、背景閾値パターン、前景閾値パターン、前景背景領域指定画像、カモフラージュ領域指定画像、を読み込む。さらに、Ｓ２７０３で、地紋画像を生成する際の初期画素を決定する。例えば、入力画像全体に対して左上から右下までラスター走査順に画像処理を行い地紋画像に変更する場合、左上を初期位置とする。
【００８８】
次にＳ２７０４では、地紋処理部２０５は、背景閾値パターン、前景閾値パターン、基礎画像、カモフラージュ画像を、地紋画像領域の左上からタイル上に配置する処理を以下の式（１）に基づく計算によって実行する。この計算によって、当該画素位置に印刷時のドットに対応する画素値を書き込むか否かを判定する。このとき画素値は入力された色情報に対応する。なお、ここで、背景閾値パターンおよび前景閾値パターンは、ドットの書き込み／非書き込みに対応する「１」と「０」からなる画像データである。これらの画像は前景（潜像）画像及び背景画像を作成するのに適したそれぞれのディザマトリクスによって２値化されたデータである。  
ｎＷｒｉｔｅＤｏｔＯｎ＝ｎＣａｍｏｕｆｌａｇｅ×
（ｎＳｍａｌｌＤｏｔＯｎ×¬ｎＨｉｄｄｅｎＭａｒｋ＋ｎＬａｒｇｅＤｏｔＯｎ×ｎＨｉｄｄｅｎＭａｒｋ）    式（１）
式の構成要素を以下に示す。  
ｎＣｏｍｏｕｆｌａｇｅ：カモフラージュ画像において、対象画素がカモフラージュ模様を構成する画素であれば０、そうでなければ１。  
ｎＳｍａｌｌＤｏｔＯｎ：背景閾値パターンの画素値が黒であれば１、白であれば０（色はこれに限定されない）  
ｎＬａｒｇｅＤｏｔＯｎ：前景閾値パターンの画素値が黒であれば１、白であれば０（色はこれに限定されない）  
ｎＨｉｄｄｅｎＭａｒｋ：基礎画像において、対象画素が潜像画像を構成する画素であれば１、背景画像を構成する画素であれば０。  
¬ｎＨｉｄｄｅｎＭａｒｋ：ｎＨｉｄｄｅｎＭａｒｋの否定。前景部で０、背景部で１となる。
【００８９】
なお、各処理対象画素で式（１）の全ての要素を用いて計算する必要は無い。不必要な計算を省くことで処理の高速化を図ることができる。  
例えば、ｎＨｉｄｄｅｎＭａｒｋ＝１ならば¬ｎＨｉｄｄｅｎＭａｒｋ＝０、ｎＨｉｄｄｅｎＭａｒｋ＝０ならば¬ｎＨｉｄｄｅｎｍａｒｋ＝１となる。従って、ｎＨｉｄｄｅｎＭａｒｋ＝１ならば以下の式（２）の値をｎＬａｒｇｅＤｏｔＯｎの値とし、ｎＨｉｄｄｅｎＭａｒｋ＝０ならば、式（２）の値をｎＳｍａｌｌＤｏｔＯｎの値とするとよい。また、ｎＣａｍｏｕｆｌａｇｅの値は式（１）に示したように、全体にかかる積算であるので、ｎＣａｍｏｕｆｌａｇｅ＝０であれば、ｎＷｒｉｔｅＤｏｔＯｎ＝０となる。従って、ｎＣａｍｏｕｆｌａｇｅ＝０の場合は以下の式（２）の計算を省略できる。  
（ｎＳｍａｌｌＤｏｔＯｎ×¬ｎＨｉｄｄｅｎＭａｒｋ＋ｎＬａｒｇｅＤｏｔＯｎ×ｎＨｉｄｄｅｎＭａｒｋ）    式（２）
また、生成される地紋画像では、背景閾値パターン、前景閾値パターン、基礎画像、カモフラージュ画像の縦横の長さの最小公倍数の大きさの画像が繰り返しの最小単位となる。この為、地紋処理部２０５では繰り返しの最小単位である地紋画像の一部分のみを生成し、その地紋画像の一部分を地紋画像領域の大きさにタイル状に繰り返し並べると地紋画像生成にかかる処理時間を短縮できる。
【００９０】
次に、Ｓ２７０５では、Ｓ２７０４の計算結果（ｎＷｒｉｔｅＤｏｔＯｎの値）をＣＰＵ１が判定する。即ち、ｎＷｒｉｔｅＤｏｔＯｎ＝１ならばＳ２７０６に進み、ｎＷｒｉｔｅＤｏｔＯｎ＝０ならばＳ２７０７に進む。
【００９１】
Ｓ２７０６では、印刷時のドットに対応する画素値を書き込む処理を行う。ここで、画素値の値は、地紋画像の色によって変えることができる。黒色の地紋を作成したい場合、入力背景画像の処理対象画素を黒に設定する。その他、プリンタのトナーあるいはインクの色に合わせ、シアン、マゼンダ、イエローに設定することにより、カラーの地紋画像を作成することもできる。さらに、背景画像が１画素あたり１〜数ビットの画像データである場合には、インデックスカラーを用いて画素値を表現することができる。インデックスカラーは、画像データの表現方法で、対象とするカラー画像で頻繁に出現する色情報を目次に設定する（例えばインデックス０は白、インデックス１はシアンなど）。そして、各画素の値は色情報を記載した目次の番号で表現するものである（例えば、１番目の画素値はインデックス１の値、２番目の画素値はインデックス２の値、・・・と表現する。）
Ｓ２７０７では、入力背景画像の処理対象領域の全画素が処理されたか否かを判定する。入力背景画像の処理対象領域の全画素が処理されていない場合はＳ２７０８に進み、未処理の画素を選択し、再びＳ２７０４〜Ｓ２７０６の処理を実行する。
【００９２】
Ｓ２７５０では、Ｓ２７０４〜Ｓ２７０８の処理で作成した地紋画像に基づく地紋パターンを生成する。
【００９３】
以上のように、入力背景画像に対して上述の各処理が施されることにより地紋画像を生成することができる。なお、これだけの処理では、前景背景領域指定画像の前景と背景の切り替わる部分にドットの固まりが生じ前景の概形が目立ち偽造防止地紋の効果が薄れるデメリットが生じる場合がある。そこで、前景背景領域指定画像の前景と背景の切り替わりでドットの固まりが生じないようにするバウンダリ処理もあわせて施してもよい。
【００９４】
以上説明した構成を有して地紋印刷を行うことができる印刷システムにおける、地紋印刷の自動設定に関するいくつかの実施形態を以下に説明する。以下の各実施形態では、プリンタドライバが実行する処理として地紋印刷の内容が自動的に設定される。
（第一実施形態）
印刷画像の機密度に応じた地紋設定処理の手順
図２０は、本発明の第一の実施形態に係る、文書など印刷する画像の機密度に応じて地紋印刷内容を設定する処理を示すフローチャートである。本フローチャートの処理は、図１に示されるホストコンピュータ３０００のＣＰＵ１が、外部メモリ１１に記憶されたプログラムコードを読込み実行することにより実現される。
【００９５】
また、図２０に示す処理は、地紋処理部２０５（図２、図３）が、図１０に示した印刷付加情報フィールド１１０６に地紋印刷の情報を格納する際に行われる。
【００９６】
最初に、Ｓ５１０１において、印刷する画像である文書に対して指定されている機密度情報を取得する。より具体的には、まず、ユーザのマウス等のポインティングデバイス操作により選択指示された文書がホストコンピュータ３０００により特定される。そして、特定された文書の識別子（ファイル名）を、後述の図２２のファイル情報に対し照合し、照合の結果文書の識別子に一致した文書に設定されている機密度の情報を取得する。
【００９７】
本実施形態では、印刷する画像の機密度を調べ、その機密度に応じてプリンタドライバが自動的に地紋画像（スタイル）を設定する。このように、本実施形態では、プリンタドライバが自動的に地紋印刷の内容を設定（決定）するものであり、その設定の際に基準ないし参照とする情報として印刷する画像の機密度を用いる。この印刷画像としての文書の機密度の取得方法については図２１および図２２にて後述する。なお、本実施形態では印刷する画像として文書を例に示しているが、機密度を有する画像であれば、文書に限られないことはもちろんである。
【００９８】
次に、Ｓ５１０２では、Ｓ５１０１で取得した機密度に応じた地紋設定を取得する。本実施形態では、この地紋設定は後述されるように地紋のスタイル情報（地紋画像の種類）の設定である。なお、この機密度に対応した地紋設定は、本例では地紋のスタイル情報の設定であるが、この設定に係るスタイル情報は、図１５にて前述したように地紋印刷の複数の設定情報を指定できる。例えば、図１６にて前述したように、スタイル情報を表す文字列の他、その角度、色、背景模様、ロゴタイプ、サイズなどを１つのスタイル情報に対応させることができる。すなわち、例えば色が異なれば、他が同じでも、本処理におけるスタイル情報としての「地紋設定」を異なるものとすることができる。上記機密度と地紋設定との関係および設定方法の一例については、図２３および図２４を参照して後述する。
【００９９】
Ｓ５１０３の判断では、Ｓ５１０１で取得した機密度情報に応じた地紋設定、すなわち、スタイル情報が、図２３および図２４で後述されるように予め設定されている地紋設定の中にあるか否かを判断する。
【０１００】
取得した地紋設定に該当する地紋設定があるときはＳ５１０４に進み、その該当する地紋設定を図１０に示したフィールド１１０６へ格納し、割り付けられた地紋設定を用いて以降の印刷処理を行う。一方、５１０３において該当する地紋設定がないと判断したときは、Ｓ５１０５へ進み、既存の（現在設定されている）地紋設定を用いて以降の印刷を行う。
【０１０１】
地紋画像に対して指定されている機密度情報の取得方法
図２１は、図２０に示すＳ５１０１の文書の機密度取得処理に関連した文書管理処理を説明するフローチャートである。本フローチャートの処理は、図１に示されるホストコンピュータ３０００のＣＰＵ１が、外部メモリ１１に記憶されたプログラムコードを読込み実行することにより実現される。
【０１０２】
図２１では、一例として文書ファイルに対する機密度を定義するための文書管理モジュールが起動しており、印刷を行う文書を常に監視しているような場合を想定している。これとは別に、文書の属性情報を管理可能なＯＳがプリンタドライバからの問い合わせ時に起動し、問い合わせ結果をプリンタドライバに返すことによって機密度を定義する形態であってもよい。
【０１０３】
先ず、文書管理アプリケーションは、Ｓ５２０１でイベントを待ち、イベントの入力があるとＳ５２０２へ進む。Ｓ５２０２では、入力したイベントが自身の終了命令であれば処理を終了する。そうでないときは、Ｓ５２０３で、入力したイベントが監視対象ファイルの削除であるか否かを判断する。ここで、監視対象ファイルの削除であるときは、本文書管理アプリケーションが保持しているファイル情報から該当ファイルに関する情報を削除後、Ｓ５２０１へ戻り次のイベントを待つ。図２２に示す格納形式の例を用いた場合、ファイル情報はファイル５３０１のような一まとめの形式で管理されており、ファイルの削除では、該当するファイルに対するファイル情報セットが削除されることになる。
【０１０４】
図２２は、文書と機密度情報を関連付けるデータ形式の一例を示す図である。ホストコンピュータ３０００が参照することができれば、図２２のファイル情報は、例えばネットワークを介して接続された任意の外部コンピュータ内にも格納させておくことができる。なお、ひとまとまりのそれぞれのファイル内の管理情報としては、ファイル名５３０２、ファイルが格納されているフォルダ名５３０３がある。フォルダ名５３０３にはファイルの格納場所であるパスが設定されている。また、ファイルに対する機密度５３０４、ファイルのアクセス状態（オープン、クローズ状態）を保持するファイルオープンフラグ５３０５、およびファイル情報の更新時間格納領域５３０６がある。なお、ファイル毎に格納される情報はこれ以外にも拡張可能であることはいうまでもない。また、図２２に例示するデータはファイル形式で格納されても良いし、メモリ空間に保持される形式であっても良い。
【０１０５】
再び図２１を参照すると、Ｓ５２０３で入力したイベントが監視対象ファイルの削除でないと判断したときは、Ｓ５２０５で、入力したイベントが監視対象のファイルの追加であるか否かを判断する。ここで、ファイル追加であれば、Ｓ５２０６で該当するファイルに対する情報を、図２２に例示するファイル情報に追加後、Ｓ５２０１へ戻り次のイベントを待つ。一方、ファイル追加でなければ続くＳ５２０７で、入力したイベントが監視対象のファイルの移動であるか否かを判断する。ここで、ファイル移動であれば、Ｓ５２０８で該当するファイルに対する格納位置情報５３０３を更新後（設定後）、Ｓ５２０１へ戻り次のイベントを待つ。この時、移動された文書データに予め設定された機密度情報は保持されたままである。このＳ５２０８の処理により、個々の文書（ドキュメント）に対して関連付けられた機密度の設定情報が、例えば、ファイル移動が行われても保持され、より信頼性ある特定文書データへの地紋付加の管理を実現する。例えば、あるフォルダから別のフォルダに文書データの格納場所が移動した場合にも、予めユーザが意図した地紋付加の形態を保持することができ、信頼性のある地紋付加の運用を実現できる。
【０１０６】
一方、ファイル移動でなければ続くＳ５２０９で、入力したイベントが監視対象のファイルのオープンであるか否かを判断する。ここで、ファイルオープンであれば、Ｓ５２１０で該当するファイルに対するファイルオープンフラグ５３０５をＯＮにし、Ｓ５２０１へ戻り次のイベントを待つ。一方、ファイルオープンでなければＳ５２１１で、入力したイベントが監視対象のファイルのクローズであるか否かを判断する。ここで、ファイルクローズであれば、Ｓ５２１２で該当するファイルオープンフラグ５３０５をＯＦＦにし、Ｓ５２０１へ戻り次のイベントを待つ。一方、ファイルクローズでないときはＳ５２１３において、入力したイベントが監視対象ファイルの機密度変更処理であるか否かを判定する。
【０１０７】
ここで、機密度変更処理であると判断したときは、Ｓ５２１４で該当するファイルに対して変更された機密度情報５３０４を更新し、Ｓ５２０１へ戻り次のイベントを待つ。一方、機密度情報変更処理でないと判断したときはＳ５２１５へ進みその他のイベント処理を行った後、Ｓ５２０１へ戻り次のイベントを待つ。  
地紋処理部２０５は、印刷時にアプリケーションよりグラフィックエンジン２０２経由でファイル名称（文書識別子や文書ＩＤと呼ぶ）を取得する。そして、この取得されたファイル名（文書識別子）と図２２のそれぞれのファイル５３０２を比較し、該当する文書を検出し、その文書の対応する機密度情報を取得する。以上のようにして文書の機密度情報を取得することができる。
【０１０８】
図２５は、文書管理アプリケーションまたはＯＳにおける文書ごとの機密度設定方法の一例を説明する図である。この図２５の設定画面を介して、各文書データに対して共通して、或は、異ならせて、機密度を容易に設定することができる。この図２５に示される設定方法により上に説明した図２２のファイル情報が作成される。
【０１０９】
図２５において、表示５６０１のように、ファイルおよびフォルダがツリービュー形式などにより一覧表示される。そして、この表示において選択されたファイルあるいはフォルダに対する機密度を、ボックス５６０２を介して設定することができる。
【０１１０】
５６０３は機密度情報の値を決定するためのドロップダウンリストボックスを示し、これを介して新規に監視対象となったファイルやフォルダに対して機密度を割り付けることができる。通常、総てのファイルなどに対して機密度を付加するのは手間がかかるため、この機密度設定用のボックスを用いることは有効な手段である。また、５６０４は、設定した機密度を固定するときに用いるチェックボックスを示す。ここでチェックされたファイルなどは、図２２に示すように機密度情報５３０４内にロック情報として格納される。さらに、５６０５は表示５６０１においてフォルダが選択された場合、フォルダ以下に格納されるファイルに対する詳細な機密度の設定を行うためのボタンを示す。このボタンを押下すると図不示のダイアログが表示され、そのダイアログを介して詳細な機密度の設定を行うことができる。さらに、同一のファイル拡張子に対する機密度を指定するような機能が該当する。これらの細分化した指定方法は文書管理システムの指定方法における拡張によって可能であるが、その説明は省略する。
【０１１１】
機密度と地紋設定の関係およびその指定方法
図２３および図２４は、図２０に示したＳ５１０２の処理に関連し、機密度と地紋設定を対応付ける処理およびそのデータ格納方法を説明する図である。
【０１１２】
図２３は、地紋処理部２０５によって参照および更新される、機密度情報と地紋設定の対応を格納したデータ形式の一例を示す図である。すなわち、図２０のＳ５１０２の処理によって参照され、また、図２４にて以下に説明するユーザによる設定操作によって変更される機密度情報と地紋設定の対応を示している。
【０１１３】
図２３において、５４０１は図２２の機密度領域５３０４に規定できる機密度情報の格納領域を示す。また、５４０２はそれぞれの機密度に対応する地紋設定、具体的には図１５に示したスタイル情報ボックス２１０３にて列挙される地紋設定群の識別子情報の格納領域を示す。前述したように、ボックス２１０３は、地紋印刷の複数の設定情報を１つの識別子（スタイル）で指定可能にするためのスタイル情報を列挙でき、これにより、プリンタドライバ２０３は複数のスタイルを選択することができる。
【０１１４】
図２３に示す例では、機密度はＡからＤまでの４段階が定義されている。また、地紋設定領域５４０２に設定できる地紋設定は、図１５に示したスタイル情報ボックス２１０３で規定される地紋設定のほか、「現在の設定値」および「地紋プリントしない」を設定することができる。機密度の低い機密度Ｄの文書については「地紋プリントしない」が選択される。また、図２４で後述する設定ＵＩの利便性を考慮した場合、「現在の設定値」が選択肢として有効となる。なお、これらの情報はレジストリ内に格納されるような形式を想定しているが、ファイル形式で保存されるなど、別の方法をとってもよい。
【０１１５】
図２４は、図１５に示したボタン２１０７を押下した際に表示される、機密度と地紋設定の対応付けを行うためのユーザインターフェースの一例を示す図である。このユーザインターフェースを介して図２３に示した機密度情報と地紋設定の対応を変更ないし設定にすることができる。
【０１１６】
図２４において、リストボックス５５０１には、各機密度に対する地紋設定すなわちスタイル情報が行単位で一覧表示される。同リストボックスにおいて設定を行いたい機密度に対応する行を選択すると、選択された行は反転表示される。これとともに、選択された機密度が領域５５０２に表示され、対応するスタイルがドロップダウンリストボックス５５０３に表示される。そして、ボックス５５０３を選択すると設定可能なスタイルの一覧が表示される。前述したように、ボックス５５０３には、図１５で一覧可能なスタイルのほか、「地紋プリントしない」および「現在の設定値」が表示される。
【０１１７】
ここで、「現在の設定値」は、図１５および図１６（ａ）で説明した処理によって変更、登録されたスタイル（図１５では例えば”ＶＯＩＤ”）を動的に反映したものである。この図１５で登録されたスタイルを採用するか否かは、図１５の２１０２”地紋プリントをする”にチェックが入力されているか否かに係らず行っても良いし、”地紋プリントをする”にチェックが入力されている場合のみ行っても良い。また、「地紋プリントしない」は、機密度の低い文書には地紋プリントを行う必要がないため、有効な選択肢となる。このようにユーザが印刷ジョブに対して地紋印刷を適用することを設定したとしても、結果として地紋印刷が適用されない場合も生じる。
【０１１８】
また、例えば、ボックス５５０３のスタイルの中から、ボックス５５０１に表示されるスタイルと異なるスタイルを、領域５５０２に表示された機密度情報に対応させようとする場合は、ボックス５５０３でそのスタイルを選択することによって可能となる。これにより、機密度と地紋設定との対応付けを変更もしくは設定することができる。
【０１１９】
図２４において、その他、ＯＫボタン５５０４を押下することにより本ダイアログにおける設定が有効となり、キャンセルボタン５５０５を押下することにより本ダイアログで変更した設定を破棄しダイアログを閉じることができる。また、ヘルプボタン５５０６を押下することで、本ダイアログに該当するヘルプ情報が表示されることになる。
【０１２０】
以上説明したように、本実施形態によれば、プリンタドライバが自動的に地紋印刷の内容を設定する際に基準ないし参照とする情報として、地紋画像が付加される画像の機密度を用いる。これにより、ユーザの操作を介さず、従って、ユーザの恣意によらずに、印刷の実行ごとに印刷する文書などの画像に適切な地紋印刷の設定を行うことが可能となる。また、文書毎にきめ細やかな地紋設定を行うことができ、文書毎に地紋設定者の意図に沿った地紋を設定することができる。
【０１２１】
（第二実施形態）
本発明の第二の実施形態も、上記第一実施形態と同様、プリンタドライバが自動的に地紋印刷の内容を設定するものである。本実施形態では、その設定の際に基準ないし参照とする情報として、ユーザ情報を用いる。
【０１２２】
ユーザ情報に応じた地紋設定処理の手順
図２６は、本発明の第二の実施形態に係る、ユーザ情報に応じた地紋設定処理を示すフローチャートである。この処理は、地紋処理部２０５が図１０に示したフィールド１１０６に地紋情報を格納する際に行われる処理である。
【０１２３】
最初に、Ｓ６１０１において、プリンタドライバ２０３は、ＯＳから印刷する文書に対して指定されているユーザ情報を取得できる。一般には、ＯＳはジョブ情報（Ｗｉｎｄｏｗｓ（登録商標）においてはＪＯＢ＿ＩＮＦＯ構造体）を保持しており、ここでジョブを発行したユーザ名を取得することができる。そして、取得したユーザ名（ユーザ情報を）識別する。
【０１２４】
次に、Ｓ６１０２では、ユーザ情報毎に割り付けられた地紋設定を取得する。この割付け方法および割付情報のデータ形式の一例については、図２７乃至図３０を参照して後述する。
【０１２５】
さらにＳ６１０３では、Ｓ６１０２の地紋設定取得処理で該当する地紋設定があるか否かを判断し、該当する設定があるときは、Ｓ６１０４に進み、該当する地紋設定を図１０に示したフィールド１１０６へ格納する。そして、その割り付けられた地紋設定を用いて以降の印刷を行う。一方、Ｓ６５０１３で該当する地紋設定がないと判断したときは、Ｓ６１０５へ進み、既存の（現在設定されている）地紋設定を用いて以降の印刷処理を行う。
【０１２６】
ユーザ情報と地紋設定の関係およびその指定方法
図２７は、図２６に示したＳ６１０２のユーザ情報に応じた地紋設定の取得方法を説明する図である。同図は、地紋処理部２０５によって参照および更新される、ユーザ情報と地紋設定の対応を格納したデータ形式の一例を示している。すなわち、本データを参照することによって、図２６に示したＳ６１０２のユーザ情報に応じた地紋設定の取得することができる。また、本データを更新することによって、ユーザ情報と地紋設定との対応を予め設定することができる。
【０１２７】
図において、６２０１にはユーザ情報データ領域、６２０２は対応する地紋設定データ領域をそれぞれ示す。地紋設定データ領域６２０２には、具体的には、第一実施形態に係る図１５と同様の図２９に示すボックス２１０３に列挙される地紋設定群の識別子情報が格納されている。前述したように、ボックス２１０３は、地紋プリントの複数の設定情報を１つの識別子（スタイル）で指定可能にするためのスタイル情報であり、これにより、プリンタドライバ２０３は複数のスタイルを選択することができる。
【０１２８】
本実施形態では、地紋設定データ領域の５２０２で選択可能な地紋設定は、ボックス２１０３を介して定義済みの地紋設定の他、「現在の設定値」および「地紋プリントしない」を地紋設定として設定することができる。なお、これらの情報はレジストリ内に格納されるような形式を想定しているが、ファイル形式で保存されるなど、別の方法をとってもよい。
【０１２９】
図２８は、図２９に示す「ユーザ情報設定」ボタン２１０８を押下した際に表示される、ユーザ情報と地紋設定の割付けを行うためのユーザインターフェイスを示す図である。このユーザインターフェイスを介して各種入力が行われることにより上に説明した図２７のデータが作成される。
【０１３０】
図２８において、リストボックス６３０１には、各ユーザ情報に対する地紋設定すなわちスタイル情報が行単位で一覧されている。同リストボックスにおいて設定を行いたいユーザ情報に対応する行を選択すると、選択された行は反転表示されると同時に、選択されたユーザ情報が領域６３０２に表示され、また、対応するスタイルがドロップダウンリストボックス６３０３に表示される。そして、リストボックス６３０３を選択することにより、設定可能なスタイル一覧が表示される。前述したように、ボックス６３０３には、図２９のボックス２１０３で一覧可能なスタイルのほか、「地紋プリントしない」および「現在の設定値」が表示され、それらを選択することができる。「現在の設定値」は、図２９や図１６にて説明した処理によって変更、登録されたスタイルを動的に反映可能であることから有効な選択肢となる。また、「地紋プリントしない」は、地紋プリントを行う必要がないユーザが存在する場合には有効な選択肢となる。
【０１３１】
さらに図２８において、追加ボタン６３０７を押下することにより、後述する図３０のダイアログが表示され、ユーザ情報の追加および対応するスタイルについて、図２７に示すデータとして登録することができる。また、削除ボタン６３０８を押下することにより、ボックス６３０１において選択されたユーザ情報別地紋設定が、図２７のデータから削除される。
【０１３２】
その他、ＯＫボタン６３０４を押下することにより本ダイアログにおける設定が有効となり本ダイアログが閉じられ、キャンセルボタン６３０５を押下することにより本ダイアログで変更した設定を破棄しダイアログを閉じる。また、ヘルプボタン６３０６を押下することで、本ダイアログに該当するヘルプ情報が表示されることになる。
【０１３３】
図３０は、図２８における追加ボタン５３０７を押下することにより表示されるダイアログの一例を示す図である。図３０において、テキストボックス６４０１に対してユーザ情報の入力を行うことにより追加が可能となる。また、同時に対応するスタイル情報をドロップダウンリストボックス６４０３より選択することができる。本コントロールに表示されるスタイル情報は図２８におけるボックス６３０３のものと同一であるので説明は割愛する。
【０１３４】
その他、ＯＫボタン６４０４を押下することにより本ダイアログにおける設定が有効となり本ダイアログが閉じられ、キャンセルボタン６４０５を押下することにより本ダイアログで変更した設定を破棄しダイアログを閉じる。また、ヘルプボタン６４０６を押下することで、本ダイアログに該当するヘルプ情報が表示される。
【０１３５】
なお、本実施形態においては、ユーザ情報の追加は６４０１より入力する形式をとったが、印刷ジョブから取得したユーザ情報をログファイルなどにより蓄積し、その蓄積結果を一覧表示することにより、プリンタの使用ユーザを収集可能にしてもよい。あるいは、ネットワーク上のユーザを管理するシステム（Ｗｉｎｄｏｗｓ（登録商標）ＯＳなどではＡｃｔｉｖｅ  Ｄｉｒｅｃｔｏｒｙなどがしられている）からユーザ情報を取得および表示し、選択可能にするといった形式をとってもよい。最終的に図２７に示すようなデータ形式によって管理されればそれらの取得方法には特に制限がない。
【０１３６】
以上説明したように、本実施形態によれば、プリンタドライバが自動的に地紋印刷の内容を設定する際に基準ないし参照とする情報として、ユーザ情報用いる。これにより、ユーザの操作を介さず、従って、ユーザの恣意によらずに、印刷の実行ごとに印刷する文書などの画像に適切な地紋印刷の設定を行うことが可能となる。
【０１３７】
（第三実施形態）
図２２のファイル情報、図２３の機密度情報と地紋設定との対応情報を外部のコンピュータ（文書管理サーバ）に格納してもよい。さらに、図２１に示すフローチャートの処理、図２０に示すフローチャートのＳ５１０１乃至５１０３の処理を外部のコンピュータに行わせるようにしても良い。例えば、第一、二実施形態におけるホストコンピュータ３０００をこの第三実施形態における外部のコンピュータに適用させることができる。
【０１３８】
この場合、外部のコンピュータは、まず、ネットワークを介したクライアントコンピュータから選択指示された文書の識別子を特定し、該特定した識別子に基づき、Ｓ５１０１における文書の識別子に対応する機密度の設定情報を取得する。
【０１３９】
また、この外部のコンピュータは、図２０のＳ５１０３でＹＥＳと判断した場合、Ｓ５１０４の処理に対応して、割り付けられた地紋設定での印刷をクライアントコンピュータにネットワークを介して指示する。すると、クライアントコンピュータは通知された設定に従い文書に対する地紋付加を行う。またこの時の、各クライアントコンピュータへの通知には、少なくとも、割り付けられた地紋設定（図２３の５４０２に相当）を示す情報が含まれる。通知される情報の具体例としては、第一実施形態のＳ５１０４で決定される地紋設定と同様であり、地紋文字列、及び、スタイル情報（地紋画像の種類）等が含まれる。
【０１４０】
また、各クライアントコンピュータには、地紋処理部２０５と同等の機能を備えたモジュールが設けられ該モジュールが、外部のコンピュータから通知された割り当てられた地紋設定を示す情報を解釈し、文書データに対して地紋を付加する。
【０１４１】
また、外部のコンピュータは図２０のＳ５１０３でＮＯと判断した場合、Ｓ５１０５の処理に対応して、クライアントコンピュータに既存の地紋設定で印刷を行うようネットワークを介して指示する。この場合にも、各クライアントコンピュータには、地紋処理部２０５と同等の機能を備えたモジュールが設けられ、各地紋処理部２０５に相当するもモジュールが、通知内容を解釈し、それに基づき地紋付加処理を行う。なお、クライアントコンピュータにおける既存の地紋設定は、既に図１５、１６等に関連して説明した通りである。
【０１４２】
更に、第二実施形態についても、この第三実施形態が適用できることはいうまでもない。
【０１４３】
以上のように、第三の実施形態では、更に、地紋を付加すべき各文書を、ネットワークを介して複数のクライアントコンピュータで共有することができる。文書管理者などは、文書に対する地紋付加を、複数のクライアントコンピュータについて共通して行わせることができる。
【０１４４】
（第四実施形態）
第一実施形態では、各文書に対して、機密度の情報をパラメータにして、各文書に地紋を付加することを、また、第二実施形態では、機密度の情報に代わり、ユーザ情報をパラメータにして、各文書に地紋を付加することを説明してきた。また、第三実施例では、第一、二実施形態における、各文書に対して、どのような地紋を付加するかの管理を、各クライアントコンピュータがネットワークを介して通信可能な外部のコンピュータに行わせる形態を説明してきた。この第四の実施形態では、更に、第一乃至第三実施形態を応用した例について説明を行う。
【０１４５】
ホストコンピュータ３０００の処理
図３１は第四の実施形態における文書管理サーバとして機能するホストコンピュータ３０００の処理を示すフローチャートである。図３３を引用しながら説明していく。
【０１４６】
まず、Ｓ３１０１で、ホストコンピュータ３０００は、外部の何れかのクライアントコンピュータから通知されるユーザ情報及び文書識別子を受信し夫々を識別する。ここで受信するユーザ情報は図３２のＳ３２１１に対応し、文書識別子はＳ３２１２に対応し、夫々クライアントコンピュータから通知される。なお、ここでの文書識別子は第一実施形態で説明したものと同様であり、また、ユーザ情報は第二実施形態で説明したものと同様とする。
【０１４７】
次にＳ３１０２、Ｓ３１０３、Ｓ３１０４で、ホストコンピュータ３０００は、文書機密度情報の取得、及び、機密度別地紋設定の取得を行う。ここでは、図２０のＳ５１０１、Ｓ５１０２と同様の処理を行う。また、Ｓ３１０４でも、Ｓ５１０４と同様に、Ｓ３１０３で取得した機密度情報に応じた地紋設定が、予め設定された地紋設定の中にあるかを判断する。なお、この時の地紋設定については、第一実施形態に係る図２３、図２４でなされているものとする。
【０１４８】
そして、Ｓ３１０４でＹＥＳと判定した場合に、Ｓ３１０５で、Ｓ３１０１で受信したユーザ情報が、クライアントコンピュータから指定された文書に対応して設定された例外ユーザを含むか否かを判定する。この際にホストコンピュータ３０００は、図３３に示されるファイル情報を参照し、指定された文書に対して設定された例外ユーザに、Ｓ３１０１で受信したユーザ情報が含まれているかを判定する。
【０１４９】
このＳ３１０５の例外ユーザに係る判定処理により、Ｓ３１０１で識別されたユーザ情報が、Ｓ３１０１で指定された文書データに対応して設定されている場合に、機密度に係り無い地紋設定を設定させることができる。また、Ｓ３１０１で識別されたユーザ情報が、Ｓ３１０１で指定された文書データに対応して設定されていない場合に、指定された文書データに対応して設定された機密度に応じた地紋設定を設定できる。
【０１５０】
Ｓ３１０５でＮＯと判定した場合には、図３３のファイル情報に従って割り当てられた地紋設定を、後述のＳ３１０７でクライアントコンピュータに通知する地紋設定として、決定する。そして、Ｓ３１０７では、前のステップで決定された地紋設定をクライアントコンピュータに通知する。なお、ここで決定される地紋設定の内容は、第一実施形態の図２０におけるＳ５１０４で設定される地紋設定と同様のものとする。
【０１５１】
一方、Ｓ３１０４でＮＯと判定した場合、或は、Ｓ３１０５でＹＥＳと判定した場合には、処理をＳ３１０８へ処理を進め、既存の地紋設定を、クライアントコンピュータに指示すべき地紋設定として決定する。ここで、Ｓ３１０８で決定される地紋設定の内容は、第一実施形態で説明した、Ｓ５１０５で設定される地紋設定と同様のものとする。そして、Ｓ３１０７で決定された地紋設定の内容をクライアントコンピュータに通知し、クライアントコンピュータにおける地紋付加による印刷を制御する。また、このＳ３１０７における通知は、各クライアントコンピュータにおける地紋処理部２０５に相当する処理部がＳ３１０６、Ｓ３１０８で決定された地紋設定内容を解釈できればよく、通知内容の形式は特に限定されない。例えば、第一、二実施形態で説明したような、図１５、１６等の画面を介して設定された地紋設定そのものを適用できる。
【０１５２】
クライアントコンピュータにおける処理
図３２は外部の各クライアントコンピュータの処理を示すフローチャートである。Ｓ３２１１では、ユーザ情報をホストコンピュータ３０００に通知する。この通知のタイミングは、文書データに対して実際に印刷指示が行われた時や、ホストコンピュータ３０００に対してクライアントコンピュータが文書データ指示のためにアクセスするタイミングなど、実際には任意のタイミングを採用することができる。なお、ここでのユーザ情報には、例えば、クライアントコンピュータにログインしているユーザ情報を用いることができる。この点は第二実施形態と同様である。
【０１５３】
次にＳ３２１２では、ユーザの選択指示に応じて、文書指定が行われ、指定された文書の識別子をクライアントコンピュータからホストコンピュータ３０００に通知する。この場合に、各クライアントコンピュータは、文書管理サーバとして機能するホストコンピュータ３０００に格納された文書を遠隔から閲覧することとなり、この遠隔からの文書選択がホストコンピュータ３０００により検知される（Ｓ３１０１に対応）ことになる。
【０１５４】
次に、Ｓ３２１３では、クライアントコンピュータは、ホストコンピュータ３０００から地紋設定の通知を受信する。ここで、受信する通知は、図３１のＳ３１０７の通知に対応する。
【０１５５】
そして、クライアントコンピュータは、Ｓ３２１３で受信した地紋設定で印刷を行う。地紋設定に従い、図２０のＳ５１０４、Ｓ５１０５等で詳しく説明した仕組みで印刷を行う。なお詳細な説明は、上述の実施形態で説明した通りであり、ここでは省略する。
【０１５６】
図３３は、図３１のフローチャートを実行するにあたり、ホストコンピュータ３０００により参照されるファイル情報である。５３０２乃至５３０６は、図２２で説明したものと同様である。
【０１５７】
５３０７では、機密度情報に対応して設定された地紋設定の付加を行わない、例外ユーザが設定されている。ここで設定されたユーザについて、ホストコンピュータ３０００は、Ｓ３１０５でＹＥＳと判定する。５３０７の欄で例外ユーザとして設定されているユーザは、例えばクライアントコンピュータから指定された文書に機密度Ａが設定されていたとしても、Ｓ３１０８の処理に従う地紋設定の印刷を行うことができる。例えば、文書の管理元ユーザや、ある特定の権限を持ったユーザを割り当てる場合に利用できる。
【０１５８】
以上のように、第四実施形態によれば、各文書に対して、例外ユーザを設定することができ、より柔軟な地紋付加を実現することができる。
（他の実施形態）
本発明は、複数の機器（例えばホストコンピュータ、インターフェース機器、リーダ、プリンタなど）から構成されるシステムに適用しても、一つの機器からなる装置（複写機、プリンタ、ファクシミリ装置など）に適用してもよい。
【０１５９】
また、本発明の目的は、前述した実施形態の機能を実現する、図２０、図２６に示したフローチャートの手順を実現するプログラムコードを記憶した記憶媒体によっても実現することができる。また、システムあるいは装置のコンピュータ（またはＣＰＵやＭＰＵ）が記憶媒体に格納されたプログラムコードを読出し実行することによっても達成される。
【０１６０】
この場合、記憶媒体から読み出されたプログラムコード自体が前述した実施形態の機能を実現することになり、そのプログラムコードを記憶した記憶媒体は本発明を構成することになる。
【０１６１】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１６２】
また、コンピュータが読み出したプログラムコードを実行することにより、前述した実施形態の機能が実現されるだけでなく、そのプログラムコードの指示に基づき、コンピュータ上で稼動しているＯＳが実際の処理の一部または全部を行うものであってもよい。
【０１６３】
更に、プログラムコードが、コンピュータに挿入された機能拡張ボードやコンピュータに接続された機能拡張ユニットに備わるメモリに書き込まれた後、そのプログラムコードの指示に基づき、ＣＰＵなどが実際の処理の一部または全部を行うものであってもよい。
【符号の説明】
【０１６４】
１    ＣＰＵ
２    ＲＡＭ
３    ＲＯＭ
２０３    プリンタドライバ
２０５    地紋処理部
３０６    プレビューワ
１５００    プリンタ
３０００    ホストコンピュータ
【図１】
0004845983.tif 000002
【図２】
0004845983.tif 000003
【図３】
0004845983.tif 000004
【図４】
0004845983.tif 000005
【図５】
0004845983.tif 000006
【図６】
0004845983.tif 000007
【図７】
0004845983.tif 000008
【図８】
0004845983.tif 000009
【図９】
0004845983.tif 000010
【図１０】
0004845983.tif 000011
【図１１】
0004845983.tif 000012
【図１２】
0004845983.tif 000013
【図１３】
0004845983.tif 000014
【図１４】
0004845983.tif 000015
【図１５】
0004845983.tif 000016
【図１６】
0004845983.tif 000017
【図１７】
0004845983.tif 000018
【図１８】
0004845983.tif 000019
【図１９】
0004845983.tif 000020
【図２０】
0004845983.tif 000021
【図２１】
0004845983.tif 000022
【図２２】
0004845983.tif 000023
【図２３】
0004845983.tif 000024
【図２４】
0004845983.tif 000025
【図２５】
0004845983.tif 000026
【図２６】
0004845983.tif 000027
【図２７】
0004845983.tif 000028
【図２８】
0004845983.tif 000029
【図２９】
0004845983.tif 000030
【図３０】
0004845983.tif 000031
【図３１】
0004845983.tif 000032
【図３２】
0004845983.tif 000033
【図３３】
0004845983.tif 000034
【図３４】
0004845983.tif 000035
【図３５】
0004845983.tif 000036
【図３６】
0004845983.tif 000037